(57)【要約】【課題】芯線の外周にねじ山となる線材を定ピッチで螺旋巻きして作られるギヤードケーブルを改善して製造の手間を増加させない方法でねじピッチの変動を防止できるようにする。【解決手段】ワイヤーロープ等から成る芯線２の外周に鋼線３と、ねじの谷となす鋼線３よりも細径の鋼線４を互いに寄り添わせて定ピッチＰで螺旋巻きしてギヤードケーブル１を構成し、鋼線４をスペーサにして鋼線３で形成されるねじ山の動きを拘束するようにした。【選択図】　図１
2004009844.tif 000002
【特許請求の範囲】
【請求項１】
芯線の外周に、ねじ山となす線材Ａと、ねじの谷となす線材Ａよりも細径の線材Ｂを、互いに寄り添わせて定ピッチで密に螺旋巻きして成るギヤードケーブル。
【請求項２】
線材Ａ１本当りに線材Ｂを複数本組み合わせ、その複数本の線材Ｂを線材Ａで形成されるねじ山間に密に並べてねじの谷を形成した請求項１記載のギヤードケーブル。
【請求項３】
線材Ａ、Ｂを多条巻きした請求項１又は２記載のギヤードケーブル。
【請求項４】
芯線を、ワイヤーロープと、そのワイヤーロープの外周にワイヤーロープの撚り方向とは反対向きに線材を密に螺旋巻きして構成されるコイリングシャフトとで形成した請求項１乃至３のいずれかに記載のギヤードケーブル。
【請求項５】
塑性変形可能な材料で形成される部材に下孔をあけてその下孔に請求項１乃至４のいずれかに記載のギヤードケーブルを挿通し、しかる後、前記部材を外側から圧縮し、ギヤードケーブルを成形型にしてその部材の下孔の内面にギヤードケーブルと噛み合うねじ山を形成するギヤードケーブルに螺合させる雌ねじ体の製造方法。
【発明の詳細な説明】
【０００１】
【発明の属する技術分野】
この発明は、自動車の窓開閉装置などに利用されるギヤードケーブルと、そのギヤードケーブルに螺合させる雌ねじ体の製造方法に関する。
【０００２】
【従来の技術】
芯線の外周にねじ山となす線材を螺旋巻きして構成されるギヤードケーブルの従来例として、実開平５−４７２８５号公報、実開平５−３８２５２号公報、実用新案登録第２５６９４３５号公報などに示されるものがある。これ等の公報に開示されたギヤードケーブルは、いずれも撚線の外周に金属線を定ピッチで巻付けており、雌ねじ体やウォームホイールなどとの噛合に支障の無い範囲でケーブルを彎曲させて使用することができる。
【０００３】
【発明が解決しようとする課題】
従来のギヤードケーブルは、芯線上にねじ山となる金属線を定ピッチで螺旋巻きしているだけであるので、彎曲させて使用する場合には特に、ねじのピッチが変動し易い。そのピッチ変動が起こるとギヤードケーブルを採用した駆動機構の円滑な動きが妨げられる。
【０００４】
なお、芯線とその上に螺旋に巻きつける金属線を接合一体化してピッチ変動を阻止する方法は、製造の手間を増加させ、生産性の悪化を招く。
【０００５】
そこで、この発明は、製造の手間を増加させない方法でねじのピッチ変動を無くしてギヤードケーブルの信頼性を高めることを課題としている。
【０００６】
【課題を解決するための手段】
上記の課題を解決するため、この発明においては、芯線の外周に、ねじ山となす線材Ａと、ねじの谷となす線材Ａよりも細径の線材Ｂを、互いに寄り添わせて定ピッチで密に螺旋巻きしてギヤードケーブルを構成する。
【０００７】
線材Ｂの組み合わせ本数を、線材Ａ１本当りに複数本とし、複数本の線材Ｂを線材Ａで形成されるねじ山間に密に並べてねじの谷を形成することができる。
【０００８】
また、線材Ａ、Ｂを多条巻きすることもできる。
【０００９】
さらに、芯線を、ワイヤーロープと、そのワイヤーロープの外周にワイヤーロープの撚り方向とは反対向きに線材を密に螺旋巻きして構成されるコイリングシャフトとで形成すると好ましい。
【００１０】
このほか、芯線やその外周に巻きつける線材Ａ、Ｂは、金属線のほかに合成樹脂製のものを用いることもできる。
【００１１】
【作用】
この発明のギヤードケーブルは、線材Ｂが線材Ａによって形成されるねじ山間でスペーサとして働き、その線材Ｂにより線材Ａの動きが拘束されてねじ山のピッチ変動が防止される。
【００１２】
また、線材Ｂは線材Ａと一緒に巻きつけることができ、従って、製造の手間は増えず、生産性が低下しない。
【００１３】
なお、線材Ｂの組み合わせ本数を増やしたものや、線材Ａ、Ｂを多条巻きしたものは、ねじのリードが大きくなる。
【００１４】
また、芯線をワイヤーロープとコイリングシャフトの２者で形成したものは、芯線の撚りが戻り難く、ギヤードケーブルの強度等が増す。
【００１５】
このほか、この発明のギヤードケーブルは、ねじのピッチが安定しているので、これを成形型にしてプレス加工でギヤードケーブルに螺合させる雌ねじ体を簡単に安価に製造することができる。
【００１６】
【発明の実施の形態】
図１乃至図３に、この発明のギヤードケーブルの実施形態を示す。
【００１７】
図１は、基本形態である。このギヤードケーブル１は、複数本の金属素線２ａを撚り合わせて構成されるワイヤーロープ２ａを芯線２にしてその芯線２の外周にねじ山になる太い鋼線３（線材Ａ）と、ねじの谷になる細い鋼線４（線材Ｂ）を互いに接するように寄り添わせて定ピッチＰで螺旋巻きして作られている。
【００１８】
鋼線３、４は各１本を組み合わせて巻きつけているが、図２に示すように、鋼線３によって形成されるねじ山間に鋼線４を複数本（図は３本）密に並べて介在してもよく、この構造は、鋼線４の組み合わせ本数を変えてねじのリード、ピッチ、ねじの谷の幅を自由に変化させることができる。
【００１９】
ねじのリードは、図１、図２のギヤードケーブルの場合、ねじピッチＰに等しい。
【００２０】
ねじのリードは、鋼線３、４の組み合わせ本数をそれぞれ複数本として大きくすることもできる。
【００２１】
図３は、鋼線３、４を交互配列にしてそれぞれ３本宛組み合わせたものであって、ねじのリードＬがピッチＰの３倍になる。
【００２２】
鋼線３の使用本数を複数本となす場合にも、鋼線４の組み合わせ本数を鋼線３、１本当りにｎ（≧２）としてねじのリードを更に大きくすることができる。
【００２３】
また、図３に示すように、芯線２は、ワイヤーロープ２ａとその外周に線材をワイヤーロープ２ａの撚り方向と逆向きに密に螺旋巻きして構成されるコイリングシャフト２ｂとから成るものを用いてもよく、これは、コイリングシャフト２ｂの巻き解け力とワイヤーロープ２ａの撚りの戻り力が打ち消し合うため芯線の撚りの戻りによる強度低下、耐久性低下が起こり難い。なお、芯線２にコイリングシャフト２ｂが含まれる場合には、鋼線３、４をコイリングシャフトの巻きつけ方向とは逆向きに螺旋巻きするのがよい。
【００２４】
鋼線３、４は丸線に限定されない。断面三角形、四角形、台形などの線を用いてもよい。また、鋼線３、４に代えて鋼以外の金属線を使用することもできる。芯線やその外周に巻く線材Ａ、Ｂを低伸度、耐熱性、耐疲労性、強靱性を有する合成樹脂で形成することもでき、合成樹脂を材料にすれば、軽量かつ柔軟性に富むギヤードケーブルを実現できる。
【００２５】
図４は、この発明のギヤードケーブルと組み合わせて用いる雌ねじ体の製造方法を示している。
【００２６】
塑性変形可能な材料、例えば、滑り性、耐熱性、耐摩耗性に優れる合成樹脂や、亜鉛、錫、鉛、アルミニウム等の軟質金属又はそれ等を母材とする合金で雌ねじ体用の部材５を形成し、この部材５にギヤードケーブル１の外形よりも僅かに大径の下孔６を設ける。そして、その下孔６に図４（ａ）に示すようにギヤードケーブル１を挿通し、部材５を外側からプレス機等で圧縮する。その圧縮により、部材５が変形し、ギヤードケーブル１が成形型となって下孔６の内面にギヤードケーブル１のねじ山と噛み合うねじ山が形成される（図４（ｂ））。従って、この方法によれば雌ねじ体７を容易に安価に作ることができる。
【００２７】
この場合のギヤードケーブルは、成形型としての機能が要求されるので、鋼等から成るものが好ましい。
【００２８】
【発明の効果】
以上述べたように、この発明のギヤードケーブルは、線材Ａを螺旋巻きして形成されるねじ山間にスペーサとして働かせる線材Ｂを設けたので、ねじのピッチ変動が起こらず、ギヤードケーブルを採用した駆動機構の信頼性（動きの安定性）が高まる。
【００２９】
また、線材Ｂは線材Ａと一緒に螺旋巻きすることができ、製造の手間の増加、それによる生産性の低下が起こらない。
【００３０】
さらに、線材Ｂの線材Ａ１本当りの組み合わせ本数を変えてねじのリードを大きくしたり、ねじピッチ、ねじの谷の幅を自由に変化させたりすることもできる。線材Ａ、Ｂを多条巻きするものもねじのリードが大きくなる。
【００３１】
また、芯線をワイヤーロープとコイリングシャフトの２者で形成したものは、芯線の撚りが戻り難く、ギヤードケーブルの強度低下、耐久性低下が抑えられる。
【００３２】
このほか、この発明のギヤードケーブルを成形型にして部材の下孔内面にねじ山を形成する方法によれば、ギヤードケーブルに螺合させて相対回転により相対変位を生じさせる雌ねじ体を容易に、安価に製造することができる。
【図面の簡単な説明】
【図１】ギヤードケーブルの実施形態を示す拡大部分破断側面図
【図２】ギヤードケーブルの他の実施形態を示す拡大部分破断側面図
【図３】ギヤードケーブルの更に他の実施形態を示す拡大部分破断側面図
【図４】（ａ）この発明の雌ねじ体の製造方法を示す工程図
（ｂ）この発明の雌ねじ体の製造方法を示す工程図
【符号の説明】
１　ギヤードケーブル
２　芯線
２ａ　ワイヤーロープ
２ｂ　コイリングシャフト
３　径の太い鋼線（線材Ａ）
４　細い鋼線（線材Ｂ）
５　部材
６　下孔
７　雌ねじ体
【図１】
2004009844.tif 000003
【図２】
2004009844.tif 000004
【図３】
2004009844.tif 000005
【図４】
2004009844.tif 000006